(57)【要約】【目的】集合住宅のベランダなど設置して鳥類の侵入を確実に防止でき、しかも簡単に開閉操作できる鳥害防止スクリーンを提供する。【構成】ベランダなどに固定された２本の支持棒２００，２００の間に、スリーブ状のケース１１０を水平に取り付ける。ケース１１０は軸心方向に伸縮可能である。ケース１１０内には、多数本の紐１３０，１３０・・・を等間隔で巻き取り、その巻き取り方向に付勢された巻き取り軸が収容されている。この巻き取り軸からケース１１０の下方へ多数本の紐１３０，１３０・・を引き出すことにより、鳥の侵入を防止する縄のれん状の障害物が形成される。紐１３０，１３０・・の下端部に操作棒を兼ねる連結棒１４０を設ける。前記巻き取り軸及び連結棒１４０は、軸心方向に伸縮可能であり、且つ、それらの少なくとも外周面は、軸心方向に均等比率で弾性変形する。この弾性変形により、障害物の幅を調節したときの紐１３０，１３０・・の間隔の均等性を維持する。【選択図】　　　図１
2004033178.tif 000002
【特許請求の範囲】
【請求項１】
軸心方向に伸縮可能なスリーブ状のケースと、該ケース内に回転自在に支持されており、前記ケースの伸縮に伴って少なくとも外周面が軸心方向に均等比率で弾性変形する巻き取り軸と、該巻き取り軸から所定の間隔で縄のれん状に垂れ下がり、前記巻き取り軸の一方の方向への回転により当該巻き取り軸に巻き取られて前記ケース内に収容され、他方の方向への回転により前記巻き取り軸から前記ケース外へ送り出されてスクリーン状の障害物を形成する多数本の紐と、多数本の紐の各下端部が接続されており、軸心方向の引っ張りに伴って少なくとも外周面が軸心方向に均等比率で弾性変形する、操作棒を兼ねる連結棒と、前記巻き取り軸を巻き取り方向に付勢するスプリング機構とを具備することを特徴とする鳥害防止スクリーン。
【請求項２】
前記ケースは、ベランダと軒先との間に突っ張り棒形式で固定される１組の伸縮可能な支持棒の間に支持されることを特徴とする請求項１に記載の鳥害防止スクリーン。
【請求項３】
前記巻き取り軸は、軸心方向に伸縮可能な芯体と、該芯体の外側にスライド自在に嵌合したスリーブ状の弾性体とを有する請求項１に記載の鳥害防止スクリーン。
【請求項４】
前記連結棒は、軸心方向に伸縮可能な芯体と、該芯体の外側にスライド自在に嵌合したスリーブ状の弾性体とを有する請求項１に記載の鳥害防止スクリーン。
【請求項５】
前記スプリング機構は、その付勢力に抗して多数本の紐が任意の引き出し位置に固定されるように前記巻き取り軸を固定するストッパーを装備することを特徴とする請求項１又は２に記載の鳥害防止スクリーン。
【発明の詳細な説明】
【０００１】
【発明の属する技術分野】
本発明は、マンションのベランダなどへの鳥類の侵入を防止するのに使用される鳥害防止スクリーンに関する。
【０００２】
【従来の技術】
近時、マンションなどの集合住宅での鳩の糞による被害が大きな問題になっている。特に、これらの集合住宅の比較的高層階のベランダでの糞による汚れが顕著化し、見栄えの点ばかりか衛生面でも放置できない問題になっている。
【０００３】
この問題を解決するために、各種の鳥害防止ネットは市販されている。これらのネットでベランダを覆うことにより、鳩の侵入が阻止され、糞害も防止されることになる。
【０００４】
【発明が解決しようとする課題】
しかしながら、鳥害防止ネットの場合、なかば恒久的な設置になる。ネットを通した視界は比較的良好とはいえ、障害物であることに変わりはなく、必要に応じて簡単に開放できるのが便利であることはいうまでもない。
【０００５】
本発明はかかる事情に鑑みて創案されたものであり、集合住宅の軒下等に設置して鳥類の侵入を確実に防止でき、しかも簡単に開閉操作できる鳥害防止スクリーンを提供することを目的としている。
【０００６】
【課題を解決するための手段】
上記目的を達成するために、本発明に係る鳥害防止スクリーンは、軸心方向に伸縮可能なスリーブ状のケースと、該ケース内に回転自在に支持されており、前記ケースの伸縮に伴って少なくとも外周面が軸心方向に均等比率で弾性変形する巻き取り軸と、該巻き取り軸から所定の間隔で縄のれん状に垂れ下がり、前記巻き取り軸の一方の方向への回転により当該巻き取り軸に巻き取られて前記ケース内に収容され、他方の方向への回転により前記巻き取り軸から前記ケース外へ送り出されてスクリーン状の障害物を形成する多数本の紐と、多数本の紐の各下端部が接続されており、軸心方向の引っ張りに伴って少なくとも外周面が軸心方向に均等比率で弾性変形する、操作棒を兼ねる連結棒と、前記巻き取り軸を巻き取り方向に付勢するスプリング機構とを備えている。
【０００７】
本発明に係る鳥害防止スクリーンにおいては、スリーブ状のケースを例えばベランダの軒先に水平に取り付ける。この状態で、連結棒を下方へ引っ張ることにより、ケースから所定間隔で整列する多数本の紐が縄のれん状に引き出される。所定間隔で整列する多数本の紐は、鳥の侵入を防止するのに効果的な障害物となり、これでベランダを覆うことにより、ベランダへの鳥の侵入及び糞害が防止される。
【０００８】
ここで、スリーブ状のケースは軸方向に伸縮する。これと共に、ケース内に多数本の紐を巻き取る巻き取り軸及び多数本の紐の下端部に取り付けられる連結棒の少なくとも外周面が軸心方向に均等比率で弾性変形する。これにより、多数本の紐で構成されるスクリーン状の障害物の横幅が任意に調節されると共に、多数本の紐の間隔の均等性が維持される。障害物の横幅の調節に伴って一部分で紐の間隔が広がると、その部分が大きく開き、ここから鳥が侵入する。紐の間隔が均等に変更されると、障害物の横幅の変更量は大きくても、個々の間隔の変更量は僅かとなる。多数本の紐の間隔の均等性を維持しつつ、その間隔を変更して障害物の横幅を調整することが本発明の大きな特徴の一つである。
【０００９】
前記ケースは、ベランダと軒先との間に突っ張り棒形式で固定される１組の伸縮可能な支持棒の間に支持される構成が好ましい。この構成によると、設置が簡単であり、横幅の調整も簡単である。
【００１０】
前記巻き取り軸は、軸心方向に弾性変形が可能な弾性体により構成することができるが、弾性体は撓みやすい欠点がある。このため、軸心方向に伸縮可能な芯体と、該芯体の外側にスライド自在に嵌合したスリーブ状の弾性体とを組み合わせて、剛性を高め、撓みにくくした構成が好ましい。
【００１１】
前記連結棒についても、軸心方向に弾性変形が可能な弾性体により構成することができるが、剛性を高める点から、軸心方向に伸縮可能な芯体と、該芯体の外側にスライド自在に嵌合したスリーブ状の弾性体とを組み合わせた構成が好ましい。
【００１２】
前記スプリング機構は、その付勢力に抗して多数本の紐が任意の引き出し位置に固定されるように前記巻き取り軸を固定するストッパーを装備する構成が好ましい。この構成により、多数本の紐の不用意な巻き込みなどが防止され、操作性などが向上する。
【００１３】
【発明の実施の形態】
以下に本発明の実施形態を図面に基づいて説明する。図１及び図２は本発明の一実施形態に係る鳥害防止スクリーンの使用例を示す斜視図、図３は同鳥害防止スクリーンの縦断正面図、図４は図３中のＡ−Ａ線矢示図である。
【００１４】
図１及び図２に示すように、本実施形態に係る鳥害防止スクリーン１００は、例えばマンションのベランダに設置される。より具体的には、ベランダの間口全体を覆うべく、ベランダの両側端部に垂直にセットされた２本の支持棒２００，２００の間に取り付けられている。支持棒２００，２００は、いずれも軸心方向に伸縮可能な突っ張り棒であり、ベランダと軒先の間の任意の場所に固定可能である。
【００１５】
この鳥害防止スクリーン１００は、図３及び図４に示すように、支持棒２００，２００の間に水平に支持されるスリーブ状のケース１１０と、ケース１１０内の中心部に回転自在に支持された巻き取り軸１２０と、巻き取り軸１２０から縄のれん状に垂れ下がった多数本の紐１３０，１３０・・・と、紐１３０，１３０・・・を連結するべくその下端部に水平に取り付けられた連結棒１４０と、巻き取り軸１２０を周方向に付勢するために、その内部に挿入されたスプリング機構１５０とを備えている。
【００１６】
ケース１１０は、金属製のスリーブからなる本体１１１と、本体１１１の両端に取り付けられた樹脂製のエンドブロック１１２，１１２とからなる。本体１１１は、内筒１１１ａと外筒１１１ｂをスライド自在に組み合わせて構成されており、そのスライドにより軸心方向の長さを任意に調節できる。本体１１１の下部には、多数本の紐１３０，１３０・・・を垂下させるためのスリット状の開口部１１１ｃが全長にわたって設けられている。
【００１７】
両端のエンドブロック１１２，１１２は、固定具３００，３００により両側の支持棒２００，２００に取り付けられるようになっており、これによりケース１１０を支持棒２００，２００間に支持する。固定具３００，３００は、支持棒２００，２００の軸心方向にスライド自在であり、このスライドによりケース１１０を任意の高さに固定できる。
【００１８】
巻き取り軸１２０は、両端のエンドブロック１１２，１１２間に回転自在に支持されている。この巻き取り軸１２０は、金属製のスリーブからなる芯体１２１と、芯体１２１の外側に嵌合したスリーブ状の弾性体１２２とからなる。芯体１２１は、内筒１２１ａと外筒１２１ｂをスライド自在に組み合わせて構成されており、そのスライドにより軸心方向に伸縮自在である。弾性体１２２は、その弾性変形により、内側の芯体１２１とは独立して軸心方向に伸縮自在である。これにより、巻き取り軸１２０はケース本体１１１の長さ調節に追従して全体が軸心方向に伸縮可能となり、特に表層部の弾性体１２２は軸心方向に同一比率で伸縮可能となる。
【００１９】
なお、芯体１２１と弾性体１２２は、円周方向においては固定されている。
【００２０】
多数本の紐１３０，１３０・・・は、一端部が巻き取り軸１２０の表層部を構成する弾性体１２２の表面に等間隔で結合されて巻き付けられている。紐１３０，１３０・・・の他端部は、ケース１１０の本体１１１に設けられた開口部１１１ｃを通って本体１１１の外に垂れ下がっており、後述する連結棒１４０に等間隔で結合されている。紐１３０，１３０・・・の間隔は、ケース１１０の本体１１１が最も短くなった状態で例えば３ｃｍ程度に設定されている。
【００２１】
操作棒を兼ねる連結棒１４０は、棒状の本体部１４１の両端に樹脂製のエンドブロック１４２，１４２を取り付けた構造になっている。本体部１４１は、ケース本体１１１とほぼ同じ長さであり、その構造は、巻き取り軸１２０と同様に、金属製のスリーブからなる芯体１４１ａの外側に、スリーブ状の弾性体１４１ｂを嵌合させた２重構造である。芯体１４１ａは、内筒と外筒のスライド自在な組み合わせにより、軸心方向に伸縮自在であり、弾性体１４１ｂは、その弾性変形により、内側の芯体１４１ａとは独立して軸心方向に伸縮自在である。これにより、連結棒１４０の本体部１４１は全体が軸心方向に伸縮可能であり、特に表層部の弾性体１４１ｂは弾性変形により軸心方向に同一比率で伸縮可能である。
【００２２】
両端のエンドブロック１４２，１４２は、スライド式の連結具４００，４００により両側の支持棒２００，２００に昇降自在に連結される。
【００２３】
スプリング機構１５０は、ケース１１０における一方のエンドブロック１１２に固定されている。このスプリング機構１５０は、巻き取り軸１２０の芯体１２１内に挿入されており、その先端部が芯体１２１に相対回転ができないように連結されることにより、巻き取り軸１２０を紐１３０，１３０・・・が巻き取られる方向に付勢している。
【００２４】
これにより、紐１３０，１３０・・・をほぼ全長にわたって巻き取り軸１２０に巻き取り、ケース１１０の本体１１１内に収容することができる。また、連結棒１４０を下方に引っ張ることにより、巻き取り軸１２０が付勢力に抗して逆方向に回転し、紐１３０，１３０・・・がケース１１０の本体１１１外へ引き出される。そして、図示されないストッパーにより、紐１３０，１３０・・・が任意の引き出し位置に固定されるように巻き取り軸１２０が固定され、この状態から紐１３０，１３０・・・を僅かに引き出すことにより、固定状態が解除されるように構成されている。
【００２５】
次に、本実施形態に係る鳥害防止スクリーン１００の使用方法及び機能について説明する。
【００２６】
先ず、図２に示すように、マンションのベランダ両側端部の手すり近くに２本の支持棒２００，２００を垂直にセットする。支持棒２００，２００間の最上部に鳥害防止スクリーン１００のケース１１０を取り付ける。このとき、支持棒２００，２００の間隔に合わせてケース１１０の本体１１１を軸心方向に延長する。この延長に伴って、本体１１１内の巻き取り軸１２０も軸心方向に引っ張られて延びる。
【００２７】
ここで、巻き取り軸１２０の表面は弾性体１２２により構成されているため、巻き取り軸１２０が軸心方向に延長したとき、その表面は軸心方向に全長にわたって均等比率で延びる。このため、紐１３０，１３０・・・の取り付け部の間隔は均等に広がる。
【００２８】
紐１３０，１３０・・・はケース１１０の本体１１１内に収容されているため、連結棒１４０はケース１１０の直ぐ下にある。この連結棒１４０も連結具４００，４００により両側の支持棒２００，２００に連結する。これにより、連結棒１４０の本体部１４１も支持棒２００，２００の間隔に応じて軸心方向に引っ張られて延びる。ここで、本体部１４１の表面は弾性体１４１ｂにより構成されているため、本体部１４１が軸心方向に延長したとき、その表面は軸心方向に全長にわたって均等比率で延びる。このため、紐１３０，１３０・・・の連結棒１４０との取り付け部の間隔も均等に広がる。
【００２９】
かくして、紐１３０，１３０・・・の間隔は均等に拡大する。
【００３０】
鳥害防止スクリーン１００の取り付けが終わると、図１に示すように、連結棒１４０を下に引っ張り、紐１３０，１３０・・・を下方に引き出す。連結棒１４０を支持棒２００，２００間の最下部まで引き下ろして固定する。これにより、両側の支持棒２００，２００間に紐１３０，１３０・・・が上部から下部まで等間隔に並び、鳥の侵入を防止するための格子状乃至スクリーン状の障害物が形成される。
【００３１】
この障害物においては、ロールスクリーンのごとき引き出し式にして、長さ（高さ）を任意に調節でき、且つ、ケース１１０の本体１１１、巻き取り軸１２０及び連結棒１４０を軸心方向に伸縮可能として、横幅も調整できる構造としているので、マンションのベランダの間口寸法に関係なく、その間口全体を上述の格子状乃至スクリーン状の障害物で覆うことができる。
【００３２】
また不要時は、紐１３０，１３０・・・をケース１１０内に引き込み収容することにより、間口を実質的に完全開放できる。
【００３３】
加えて、巻き取り軸１２０及び連結棒１４０の軸心方向の伸縮可能に対して紐１３０，１３０・・・の間隔の均等性が維持される。このため、鳥の侵入が確実に防止される。
【００３４】
すなわち、ケース１１０の本体１１１の最小長さを２ｍとし、このときの紐１３０，１３０・・・の間隔を３ｃｍとする。３ｃｍの間隔は開放感を阻害しない寸法である。この状態から本体１１１を３ｍに延長すると、紐１３０，１３０・・・の間隔は１．５倍の４．５ｃｍとなる。鳩の侵入を防止する障害物としての機能は、紐１３０，１３０・・・の間隔が５ｃｍ以下で得られる。ケース１１０の本体１１１を２ｍから３ｍへ１．５倍に延長しても、この有効な間隔が確保されるわけである。これは、巻き取り軸１２０及び連結棒１４０の少なくとも表面を弾性体で構成して軸心方向で均等に伸縮するようにした構成による。これらを単純な２筒構造で伸縮可能とした場合、本体１１１を２ｍから３ｍへ延長した場合、特定箇所に１ｍの隙間ができることになる。
【００３５】
この点おいて、巻き取り軸１２０及び連結棒１４０の少なくとも表面を弾性変形により軸心方向で均等に伸縮させる構成は非常に重要である。
【００３６】
更に、巻き取り軸１２０及び連結棒１４０は、ともにスリーブ状の弾性体を、伸縮可能な金属スリーブからなる芯体により補強した構造としているので、荷重が付加されても撓みが生じない。このため、紐１３０，１３０・・・を引き出す操作及び動作、並びに紐１３０，１３０・・・を巻き込む操作及び動作が確実でスムーズなものになる。
【００３７】
なお、鳥害防止スクリーン１００は、上記実施形態では支持棒２００，２００を使用してベランダに取り付けたが、軒先に直接吊り下げてもよく、取付形態を限定するものではない。また使用箇所もベランダに限定するものではない。また、紐１３０，１３０・・・の間隔については鳩を主対象とした場合３〜５ｃｍが好ましいが、基本的には主に排除すべき鳥の種類に応じて適宜選択すべきものである。
【００３８】
【発明の効果】
以上に説明したとおり、本発明に係る鳥害防止スクリーンは、軸心方向に伸縮可能なスリーブ状のケース内に巻き取り軸を回転自在に支持し、該巻き取り軸から多数本の紐を所定の間隔で縄のれん状に垂下させ、その下端部に操作棒を兼ねる連結棒を取り付けるだけでなく、前記巻き取り軸をケースの伸縮に伴って少なくとも外周面が軸心方向に均等比率で弾性変形する構成とすると共に、前記連結棒を軸心方向の引っ張りに伴って少なくとも外周面が軸心方向に均等比率で弾性変形する構成としたことにより、多数本の紐の間隔の均等性を維持ししつその広さを広範囲に調節できるので、集合住宅の軒下等に設置して鳥類の侵入を確実に防止でき、しかも簡単に開閉操作できる。
【図面の簡単な説明】
【図１】本発明の一実施形態に係る鳥害防止スクリーンの使用例を示す斜視図で、スクリーン状の障害物を引き出した状態を示す。
【図２】同鳥害防止スクリーンの使用例を示す斜視図で、スクリーン状の障害物を収納した状態を示す。
【図３】同鳥害防止スクリーンの縦断正面図である。
【図４】図３中のＡ−Ａ線矢示図である。
【符号の説明】
１００　鳥害防止スクリーン
１１０　ケース
１１１　本体
１１２　エンドブロック
１２０　巻き取り軸
１２１　芯体
１２２　弾性体
１３０　紐
１４０　連結棒
１４１　本体部
１４２　エンドブロック
１５０　スプリング機構
２００　支持棒
３００　固定具
４００　連結具
【図１】
2004033178.tif 000003
【図２】
2004033178.tif 000004
【図３】
2004033178.tif 000005
【図４】
2004033178.tif 000006